(57)【要約】【解決手段】ロック操作部３６をロック位置にした際に刃体不使用位置Ｐにあるカバー４２が刃体使用可能位置になるのを阻止する当接部３９，５７を設けるとともに、ロック位置にあるロック操作部３６がロック回避位置Ｅになるのを阻止する保持部４０，４１を設け、そのロック操作部３６をハンドル１に設けたので、ハンドル１に対しカバー４２を移動させても、ハンドル１におけるロック操作部３６の位置は変わらない。【効果】ハンドル１を持った手指でカバー４２を移動させる際に、ロック操作部３６を不用意に操作するおそれが少なくなる。【選択図】図５
2018143322.tif 000002
【特許請求の範囲】
【請求項１】
ハンドルとそのハンドルの頭部に取り付けた刃体を保護し得るカバーを有する可動体とを備えた医療用刃物において、
前記ハンドルにはロック回避位置とロック位置とを取るロック操作部を設け、
このロック操作部のロック回避位置で前記可動体は、ハンドルに対し操作部によりハンドルの長手方向に沿う前後方向へ移動可能に支持されて、刃体を保護し得る刃体不使用位置と、刃体を露出し得る刃体使用可能位置とを取り、
前記ロック操作部をロック位置にした際に前記刃体不使用位置にある可動体が前記刃体使用可能位置になるのを阻止する当接部を設けるとともに、ロック位置にあるロック操作部がロック回避位置になるのを阻止する保持部を設けた
ことを特徴とする医療用刃物。
【請求項２】
前記ロック操作部は前記ハンドルにおいて前後方向に対し直交する方向の両側のうち一方の側で指当部を有していることを特徴とする請求項１に記載の医療用刃物。
【請求項３】
前記ロック操作部の指当部はロック回避位置からロック位置に撓み得る可撓性を有していることを特徴とする請求項２に記載の医療用刃物。
【請求項４】
前記ロック操作部の指当部は、ハンドルに設けた凹所で露出していることを特徴とする請求項２または請求項３に記載の医療用刃物。
【請求項５】
前記ロック操作部の指当部はハンドルの凹所で前後方向へ延設されていることを特徴とする請求項４に記載の医療用刃物。
【請求項６】
前記当接部はロック操作部の前端部と可動体の後端部とに設けられていることを特徴とする請求項１〜５のうちいずれか一つの請求項に記載の医療用刃物。
【請求項７】
前記保持部はロック操作部の後端部とハンドルの凹所とに設けられていることを特徴とする請求項１〜６のうちいずれか一つの請求項に記載の医療用刃物。
【請求項８】
前記保持部はロック操作部の前端部と可動体の後端部とに設けられていることを特徴とする請求項１〜６のうちいずれか一つの請求項に記載の医療用刃物。
【発明の詳細な説明】
【技術分野】
【０００１】
本発明は刃体を収容し得るカバーを備えた手術用メスや眼科用メスなどの医療用刃物に関するものである。
【背景技術】
【０００２】
従来、下記の特許文献１などにより開示された手術用メスなどの医療用刃物においては、把持部の前端部からカバー支持部を延設したハンドルと、このカバー支持部の前端部に取り付けた刃体を収容し得るカバーとを備えている。このカバーは、カバー支持部の外側に被せられてカバー支持部に対し前後方向へ移動可能に支持され、カバー支持部の前端部から前方へ突出して刃体を収容し得る刃体不使用位置と、カバー支持部の前端部から後方へ退避する刃体使用可能位置とを取る。その刃体使用可能位置では、カバー支持部の前端部の刃体がカバーから前方へ突出して露出する。
【０００３】
カバーにはロック操作部を設け、ハンドルのカバー支持部には弾性部を設けている。弾性部に対しロック操作部を離脱させたロック回避位置では、ハンドルに対するカバーの移動を許容してカバーを刃体不使用位置と刃体使用可能位置とにすることができる。弾性部に対しロック操作部を係止させたロック位置では、ハンドルに対するカバーの移動を規制してカバーの刃体不使用位置を保持するため、カバーを刃体使用可能位置に戻すことができない。
【先行技術文献】
【特許文献】
【０００４】
【特許文献１】米国特許第７０８７０６７号公報
【発明の概要】
【発明が解決しようとする課題】
【０００５】
従来の手術用メスなどの医療用刃物においては、カバーを持って刃体不使用位置と刃体使用可能位置とに操作する必要があるため、カバーにロック操作部を設けると、カバーを持つ際にロック操作部を不用意に操作してロック回避位置からロック位置にしてしまうおそれがあった。
【０００６】
この発明は、手術用メスや眼科用メスなどの医療用刃物において、ロック回避位置からロック位置へのロック操作部の不用意な操作を抑制することを目的としている。
【課題を解決するための手段】
【０００７】
後記実施形態の図面（図１〜９に示す第一実施形態、図１０〜１４に示す第二実施形態）の符号を援用して本発明を説明する。
請求項１の発明にかかる医療用刃物は、ハンドル（１，６１）とそのハンドル（１，６１）の頭部に取り付けた刃体（１７，７２）を保護し得るカバー（４２，８１）を有する可動体（４２，８０）とを備えている。このハンドル（１，６１）にはロック回避位置（Ｅ）とロック位置（Ｆ）とを取るロック操作部（３６，７７）を設けている。このロック操作部（３６，７７）のロック回避位置（Ｅ）で前記可動体（４２，８０）は、ハンドル（１，６１）に対し操作部（４３ａ，８８ａ）によりハンドル（１，６１）の長手方向に沿う前後方向（Ｘ）へ移動可能に支持されて、刃体（１７，７２）を保護し得る刃体不使用位置（Ｐ）と、刃体（１７，７２）を露出し得る刃体使用可能位置（Ｑ）とを取る。前記ロック操作部（３６，７７）をロック位置（Ｆ）にした際に前記刃体不使用位置（Ｐ）にある可動体（４２，８０）が前記刃体使用可能位置（Ｑ）になるのを阻止する当接部（３９，５７，７８，９１）を設けるとともに、ロック位置（Ｆ）にあるロック操作部（３６，７７）がロック回避位置（Ｅ）になるのを阻止する保持部（４０，４１，７９，９２）を設けている。
【０００８】
請求項１の発明では、ハンドル（１，６１）にロック操作部（３６，７７）を設けたので、ハンドル（１，６１）に対し可動体（４２，８０）を移動させても、ハンドル（１，６１）におけるロック操作部（３６，７７）の位置は変わらない。そのため、ハンドル（１，６１）を持った手指で可動体（４２，８０）を移動させる際に、ロック操作部（３６，７７）の不用意な操作を抑制することができる。
【０００９】
請求項１の発明を前提とする請求項２の発明にかかるロック操作部（３６，７７）は、前記ハンドル（１，６１）で前後方向（Ｘ）に対し直交する方向（Ｚ）の両側のうち一方の側で指当部（３８，７７）を有している。請求項２の発明では、ハンドル（１，６１）を持った際に指当部（３８，７７）に手指を当てがってロック操作部（３６，７７）を操作し易い。
【００１０】
請求項２の発明を前提とする請求項３の発明にかかるロック操作部（３６，７７）の指当部（３８，７７）はロック回避位置（Ｅ）からロック位置（Ｆ）に撓み得る可撓性を有している。請求項３の発明では、ロック操作部（３６，７７）の指当部（３８，７７）を撓ませてロック回避位置（Ｅ）からロック位置（Ｆ）にすることができる。
【００１１】
請求項２または請求項３の発明を前提とする請求項４の発明にかかるロック操作部（３６，７７）の指当部（３８，７７）は、ハンドル（１，６１）に設けた凹所（３５，７６）で露出している。請求項４の発明では、ロック操作部（３６，７７）の指当部（３８，７７）がハンドル（１，６１）の凹所（３５，７６）で収容されて嵩張らない。
【００１２】
請求項４の発明を前提とする請求項５の発明にかかるロック操作部（３６，７７）の指当部（３８，７７）はハンドル（１，６１）の凹所（３５，７６）で前後方向（Ｘ）へ延設されている。請求項５の発明では、ロック操作部（３６，７７）の指当部（３８，７７）がハンドル（１，６１）の長手方向に沿う前後方向（Ｘ）へ延設されているので、ハンドル（１，６１）において前後方向（Ｘ）に対し直交する方向（Ｙ）の幅寸法を小さくすることができる。
【００１３】
請求項１〜５のうちいずれか一つの請求項の発明を前提とする請求項６の発明において、前記当接部（３９，５７，７８，９１）はロック操作部（３６，７７）の前端部と可動体（４２，８０）の後端部とに設けられている。請求項６の発明では、ロック操作部（３６，７７）の当接部（３９，７８）及び可動体（４２，８０）の当接部（５７，９１）を簡単に設けることができる。
【００１４】
請求項１〜６のうちいずれか一つの請求項の発明を前提とする請求項７の発明（特に第一実施形態に対応）において、前記保持部（４０，４１）はロック操作部（３６）の後端部とハンドル（１）の凹所（３５）とに設けられている。請求項７の発明では、ロック操作部（３６）の保持部（４０）及びハンドル（１）の保持部（４１）を簡単に設けることができる。
【００１５】
請求項１〜６のうちいずれか一つの請求項の発明を前提とする請求項８の発明（特に第二実施形態に対応）において、前記保持部（７９，９２）はロック操作部（７７）の前端部と可動体（８０）の後端部とに設けられている。請求項８の発明では、ロック操作部（７７）の保持部（７９）及び可動体（８０）の保持部（９２）を簡単に設けることができる。
【００１６】
次に、請求項以外の技術的思想について実施形態の図面の符号を援用して説明する。
請求項３の発明を前提とする第９の発明において、前記ロック操作部（３６，７７）の指当部（３８，７７）は弾性部（３７，７７）の弾性力に抗してロック回避位置（Ｅ）からロック位置（Ｆ）に撓み得る。第９の発明では、ロック操作部（３６，７７）の指当部（３８，７７）を弾性部（３７，７７）の弾性力に抗して撓ませてロック回避位置（Ｅ）からロック位置（Ｆ）にすることができる。
【００１７】
請求項１の発明を前提とする第１０の発明（特に第一実施形態に対応）において、前記可動体は、刃体（１７）を収容して保護し得るカバー（４２）であって、カバー（４２）に設けた操作部（４３ａ）によりカバー（４２）をハンドル（１）に対し移動し得る。第１０の発明では、カバー（４２）に操作部（４３ａ）を設けてカバー（４２）を操作することができるので、カバー（４２）の操作を行い易い。
【００１８】
第１０の発明を前提とする第１１の発明（特に第一実施形態に対応）において、前記ロック操作部（３６）は前後方向（Ｘ）へ延設した指当部（３８）を有し、前後方向（Ｘ）に対し直交する上下方向（Ｚ）へロック回避位置（Ｅ）の指当部（３８）を弾性部（３７）の弾性力に抗して操作してロック位置（Ｆ）に移動させる。第１１の発明では、ロック操作部（３６）の指当部（３８）がハンドル（１）の長手方向に沿う前後方向（Ｘ）へ延設されているので、ハンドル（１）において前後方向（Ｘ）に対し直交する方向（Ｙ）の幅寸法を小さくすることができる。また、ロック操作部（３６）の指当部（３８）を弾性部（３７）の弾性力に抗して上下方向（Ｚ）へ撓ませてロック回避位置（Ｅ）からロック位置（Ｆ）にすることができる。
【００１９】
第１１の発明を前提とする第１２の発明（特に第一実施形態に対応）にかかるロック操作部（３６）は、ハンドル（１）において、前後方向（Ｘ）へ撓み得るように片持ち梁状に立設した弾性部としての可撓柱（３７）と、その可撓柱（３７）の先端部で前後方向（Ｘ）へ延設した指当部（３８）とを有し、前記当接部（３９，５７）はこの指当部（３８）の前端部とカバー（４２）の後端部とに設けられ、前記保持部（４０，４１）はこの指当部（３８）の後端部とハンドル（１）とに設けられている。第１２の発明では、指当部（３８）を手指により下方へ押すと、可撓柱（３７）が撓んでロック操作部（３６）をロック回避位置（Ｅ）からロック位置（Ｆ）にすることができる。
【００２０】
第１２の発明を前提とする第１３の発明（特に第一実施形態に対応）において、前記可撓柱（３７）の先端部は前記指当部（３８）の前端部と後端部との間に設けられ、この可撓柱（３７）はその基端部から先端部に向かうに従い指当部（３８）の前端部側に傾斜している。第１３の発明では、可撓柱（３７）が撓み易い。
【００２１】
第１３の発明を前提とする第１４の発明（特に第一実施形態に対応）において、前記可撓柱（３７）の先端部と指当部（３８）の後端部との間の距離は、可撓柱（３７）の先端部と指当部（３８）の前端部との間の距離より大きく設定されている。第１４の発明では、可撓柱（３７）の先端部と指当部（３８）の後端部との間で指当部（３８）が手指により下方へ押され易くなるので、指当部（３８）の前端部が上方へ移動してカバー（４２）の後端部との間で当接部（３９，５７）を構成するとともに、指当部（３８）の後端部が下方へ移動してハンドル（１）との間で保持部（４０，４１）を構成することができる。
【００２２】
第１０〜１４の発明のうちいずれか一つの発明を前提とする第１５の発明（特に第一実施形態に対応）において、前記ロック回避位置（Ｅ）にあるロック操作部（３６）は前記刃体使用可能位置（Ｑ）でカバー（４２）内に収容され、そのロック操作部（３６）の指当部（３８）において前記ロック回避位置（Ｅ）からロック位置（Ｆ）への移動操作をカバー（４２）により阻止する。第１５の発明では、ロック操作部（３６）の指当部（３８）においてロック回避位置（Ｅ）からロック位置（Ｆ）への不用意な移動操作を刃体使用可能位置（Ｑ）のカバー（４２）により阻止することができる。
【００２３】
請求項１の発明を前提とする第１６の発明（特に第二実施形態に対応）において、前記可動体（８０）は、カバー（８１）とそのカバー（８１）の後端部から延設した操作腕（８３）とを有し、その操作腕（８３）に設けた操作部（８８ａ）によりカバー（８１）をハンドル（６１）に対し移動し得る。第１６の発明では、カバー（８１）の後端部から延設した操作腕（８３）に操作部（８８ａ）を設けてカバー（８１）を操作することができるので、カバー（８１）の操作を行い易い。
【００２４】
第１６の発明を前提とする第１７の発明（特に第二実施形態に対応）において、前記ロック操作部（７７）は前後方向（Ｘ）へ延設した指当部（７７）を有し、前後方向（Ｘ）に対し直交する上下方向（Ｚ）へロック回避位置（Ｅ）の指当部（７７）を弾性部（７７）の弾性力に抗して操作してロック位置（Ｆ）に移動させる。第１７の発明では、ロック操作部（７７）の指当部（７７）がハンドル（６１）の長手方向に沿う前後方向（Ｘ）へ延設されているので、ハンドル（６１）において前後方向（Ｘ）に対し直交する方向（Ｙ）の幅寸法を小さくすることができる。また、ロック操作部（７７）の指当部（７７）を弾性部（７７）の弾性力に抗して上下方向（Ｚ）へ撓ませてロック回避位置（Ｅ）からロック位置（Ｆ）にすることができる。
【００２５】
第１７の発明を前提とする第１８の発明（特に第二実施形態に対応）において、前記ロック操作部（７７）はハンドル（６１）で片持ち梁状に延設した指当部及び弾性部としての可撓腕（７７）であって、前記当接部（７８，９１）及び保持部（７９，９２）はその可撓腕（７７）の前端部と前記操作腕（８３）の後端部とに設けられている。第１８の発明では、可撓腕（７７）を弾性力に抗して手指により下方へ押すと、ロック操作部（７７）をロック回避位置（Ｅ）からロック位置（Ｆ）にすることができる。
【００２６】
第１８の発明を前提とする第１９の発明（特に第二実施形態に対応）において、前記ロック回避位置（Ｅ）にあるロック操作部（７７）は前記刃体使用可能位置（Ｑ）で可動体（８０）の操作腕（８３）に面し、ロック操作部（７７）である可撓腕（７７）において前記ロック回避位置（Ｅ）からロック位置（Ｆ）への移動操作を操作腕（８３）により阻止する。第１９の発明では、ロック操作部（７７）である可撓腕（７７）においてロック回避位置（Ｅ）からロック位置（Ｆ）への不用意な移動操作を刃体使用可能位置（Ｑ）の操作腕（８３）により阻止することができる。
【００２７】
第１０〜１９の発明のうちいずれか一つの発明を前提とする第２０の発明において、前記ハンドル（１，６１）は、前記頭部を有するカバー支持部（６，６２）と、そのカバー支持部（６，６２）に対し長手方向（Ｘ）で連続する把持部（７，６３）とを備え、前記カバー（４２，８１）は刃体使用可能位置（Ｑ）でこのカバー支持部（６，６２）の外側に被せられる。第２０の発明では、ハンドル（１，６１）の把持部（７，６３）を持った手指でカバー（４２，８１）の移動操作を安定して行うことができる。
【００２８】
第９〜２０の発明のうちいずれか一つの発明を前提とする第２１の発明において、前記ロック操作部（３６，７７）はハンドル（１，６１）と一体に成形されている。第２１の発明では、ロック操作部（３６，７７）をハンドル（１，６１）とともに容易に成形することができる。
【発明の効果】
【００２９】
本発明は、手術用メスや眼科用メスなどの医療用刃物において、ロック回避位置（Ｅ）からロック位置（Ｆ）へのロック操作部（３６，７７）の不用意な操作を抑制することができる。
【図面の簡単な説明】
【００３０】
【図１】（ａ）は第一実施形態にかかる医療用刃物のハンドルの開状態において刃体を取り付けた状態の正面側を斜め上方から見た斜視図であり、（ｂ）は同じく背面側を斜め下方から見た斜視図である。
【図２】（ａ）は第一実施形態にかかる医療用刃物のハンドルの閉状態において刃体を取り付けた状態の正面側を斜め上方から見た斜視図であり、（ｂ）は同じく背面側を斜め下方から見た斜視図である。
【図３】図２のハンドルを平面側から見た部分断面図である。
【図４】（ａ）は第一実施形態にかかる医療用刃物においてカバーの正面側を斜め上方から見た斜視図であり、（ｂ）は同じく背面側を斜め下方から見た斜視図である。
【図５】（ａ）は第一実施形態において刃体不使用位置にある医療用刃物の正面側を斜め上方から見た斜視図であり、（ｂ）は同じく背面側を斜め下方から見た斜視図である。
【図６】（ａ）は第一実施形態において刃体不使用位置にある医療用刃物を示す背面図であり、（ｂ）は（ａ）のＡ１−Ａ１線断面図であり、（ｃ）は（ａ）のＡ２−Ａ２線断面図であり、（ｄ）は（ａ）のＡ３−Ａ３線断面図であり、（ｅ）は（ａ）のＡ４−Ａ４線断面図である。
【図７】（ａ）は第一実施形態において刃体使用可能位置にある医療用刃物の正面側を斜め上方から見た斜視図であり、（ｂ）は同じく背面側を斜め下方から見た斜視図である。
【図８】（ａ）は第一実施形態において刃体使用可能位置にある医療用刃物を示す背面図であり、（ｂ）は（ａ）のＢ１−Ｂ１線断面図であり、（ｃ）は（ａ）のＢ２−Ｂ２線断面図であり、（ｄ）は（ａ）のＢ３−Ｂ３線断面図であり、（ｅ）は（ａ）のＢ４−Ｂ４線断面図である。
【図９】（ａ）は第一実施形態において刃体不使用位置にある医療用刃物のロック回避位置を示す部分正面図であり、（ｂ）は同じくロック位置を示す部分正面図であり、（ｃ）は第一実施形態において刃体使用可能位置にある医療用刃物のロック回避位置を正面側から見た部分断面図である。
【図１０】（ａ）は第二実施形態にかかる医療用刃物においてハンドルの背面側を斜め上方から見た斜視図であり、（ｂ）は同じく背面側を斜め下方から見た斜視図であり、（ｃ）は同じく背面側から見た部分断面図である。
【図１１】（ａ）は第二実施形態にかかる医療用刃物のカバー及び開状態の操作腕の背面側を斜め上方から見た斜視図であり、（ｂ）は同じく背面側を斜め下方から見た斜視図であり、（ｃ）は同じくカバー及び閉状態の操作腕を背面側から見た断面図である。
【図１２】（ａ）は第二実施形態において刃体不使用位置にある医療用刃物の背面側を斜め上方から見た斜視図であり、（ｂ）は同じく背面側から見た部分断面図であり、（ｃ）は（ｂ）のＣ−Ｃ線断面図である。
【図１３】（ａ）は第二実施形態において刃体使用可能位置にある医療用刃物の背面側を斜め上方から見た斜視図であり、（ｂ）は同じく背面側から見た部分断面図であり、（ｃ）は（ｂ）のＤ−Ｄ線断面図である。
【図１４】（ａ）は第二実施形態において刃体不使用位置にある医療用刃物のロック回避位置を背面側から見た部分断面図であり、（ｂ）は同じくロック位置を背面側から見た部分断面図であり、（ｃ）は第二実施形態において刃体使用可能位置にある医療用刃物のロック回避位置を背面側から見た部分断面図である。
【発明を実施するための形態】
【００３１】
まず、第一実施形態にかかる医療用刃物について図１〜９を参照して説明する。
図１に示すように、開状態のハンドル１は、プラスチックにより一体成形され、互いに連結された後端部１ａから前端部まで延設された二股状の左腕２及び右腕３を上下両側に備えている。左腕２の前端部から少し後方で内側に突条４が形成されているとともに、右腕３の前端部から少し後方で内側に長孔５が形成され、図２及び図６（ｅ）に示すように左腕２の内側と右腕３の内側とが互いに重ねられた閉状態でその突条４が長孔５に挿嵌されてそれらの内側が互いに離脱不能に取着された一本のハンドル１となっている。図２に示す閉状態のハンドル１は、前端部である頭部を有するカバー支持部６と、そのカバー支持部６の後端部に対し前後方向に沿う長手方向Ｘで連続する把持部７とを備えている。把持部７は上枠部８と下枠部９との間に透孔１０を有している。カバー支持部６は把持部７の前端部から前方へ頭部まで延設されて左側板部１１と右側板部１２とがそれらの内側で互いに重ねられている。把持部７の下枠部９の右側には目盛９ａが長手方向Ｘへ付されている。
【００３２】
カバー支持部６において、前端部から少し後方で、左側板部１１の内側に刃体重合部１３が形成されてその刃体重合部１３に止め部１４が形成されているとともに、右側板部１２の内側に刃体重合部１５が形成されてその刃体重合部１５に止め孔１６が突設されている。薄板状の刃体１７において、下側には刃縁１８が形成され、上側には刃縁１８の対辺側になる背縁１９が形成され、図６（ｂ）（ｃ）に示すように厚み方向である左右方向Ｙの両側の側面２０間に貫通された止め孔２１が形成されている。図３に示すように、刃体１７の後部側が左右の刃体重合部１３，１５間に嵌め込まれて刃体１７の前部側がカバー支持部６の前端部から前方へ突出した状態で、左側板部１１の止め部１４が刃体１７の止め孔２１及び右側板部１２の止め孔１６に挿嵌されている。右側の刃体重合部１５の後端部には僅かに傾斜する凹部２２が形成されているとともに、左側の刃体重合部１３の後端部には僅かに傾斜する凸部２３が形成され、左右の刃体重合部１３，１５間に嵌め込まれた刃体１７の後端部が凸部２３により凹部２２側に押圧されて若干反る。そのため、左右の刃体重合部１３，１５に間に挟持された刃体１７の緩みを抑制することができる。左側の刃体重合部１３の後端部には視認孔２４が形成され、左右の刃体重合部１３，１５間に嵌め込まれた刃体１７の後端部に付された品番をその視認孔２４から見て刃体１７の種類を識別することもできる。
【００３３】
カバー支持部６の前端部と後端部との間において、左側板部１１の外側には前後方向Ｘへ一連に延設された上側摘み部２５（指当部）と中間摘み部２６（指当部）とが上下方向Ｚで互いに間隔をあけて並設され、右側板部１２の外側には前後方向Ｘへ一連に延設された上側摘み部２７（指当部）と下側摘み部２８（指当部）とそれらの間の中間摘み部２９（指当部）とが上下方向Ｚで互いに間隔をあけて並設されている。図６及び図８に示すように、左側板部１１の上側摘み部２５及び右側板部１２の上側摘み部２７においては、左右両側板部１１，１２に沿って上下方向Ｚへ延びる指当部２５ａ，２７ａが形成されているとともに、指当部２５ａ，２７ａの上端部から略円弧状の境界部を介して滑らかに連続する指当部２５ｂ，２７ｂが形成されている。左右両指当部２５ｂ，２７ｂは、左右方向Ｙへ延びて互いに間隔をあけて相対向し、それらの指当部２５ｂ，２７ｂの内側には前後方向Ｘの両側で係止凹部３０，３１が相対向して形成されている。右側板部１２の上側摘み部２７の外側で前後方向Ｘの両側にはクリック凹部３２，３３が形成されている。左側板部１１及び右側板部１２の後端部の外側で把持部７の上枠部８との境界部には押圧凸部３４が形成されている。
【００３４】
左側板部１１上の後端部から少し前方に形成された凹所３５にはロック回避位置Ｅにあるロック操作部３６が形成されている。ロック操作部３６は、カバー支持部６で前後方向Ｘへ撓み得るように片持ち梁状に立設された可撓柱３７と、図６（ａ）に示すように可撓柱３７の先端部３７ａで前後方向Ｘへ延設された指当部３８とを有している。可撓柱３７の先端部３７ａは指当部３８の前端部と後端部との間に設けられている。可撓柱３７はその基端部３７ｂから先端部３７ａに向かうに従い指当部３８の前端部側に傾斜している。指当部３８の前端部には当接部３９が設けられている。指当部３８の後端部には保持部４０が設けられている。可撓柱３７の先端部３７ａと指当部３８の後端部との間の距離は、可撓柱３７の先端部３７ａと指当部３８の前端部との間の距離より大きく設定されている。凹所３５には保持部４０の後方で隣接して段差状の保持部４１が形成されている。
【００３５】
図４に示す可動体としてのカバー４２は、プラスチックにより一体成形され、上板部４３と下板部４４と左右両側板部４５，４６とを有し、上板部４３と下板部４４と左右両側板部４５，４６とで囲まれた収容室４７が前端部及び後端部の開口部４８，４９で開放されている。左右両側板部４５，４６には収容室４７に連通する貫通孔５０，５１が前端部と後端部との間で前後方向Ｘへ一連に延設されて上下方向Ｚの両側で並設されているとともに、上側貫通孔５０と中間貫通孔５１との間に区画板部５２が形成されている。右側板部４６において上側貫通孔５０と中間貫通孔５１との間の区画板部５２（両持ち梁）には前後方向Ｘの中央部で上側貫通孔５０側に突出するクリック凸部５３が形成されている。下板部４４には収容室４７に連通する貫通孔５４が前端部と後端部との間で前後方向Ｘへ延設されて後端部の開口部４９に開放されている。上板部４３（両持ち梁）には前後方向Ｘの中央部でカバー操作部４３ａが上方へ突設され、カバー操作部４３ａの少し前方で左右両側に係止凸部５５が形成されている。上板部４３にはその後端部とカバー操作部４３ａとの間で左右両側板部４５，４６を区分する切込部５６が前後方向Ｘへ延設されて後端部の開口部４９に開放されている。左右両側板部４５，４６の後端部は、互いに離間され、その後端部の間隔がその後端部の弾性力に抗して左右方向Ｙへ広がり得るように可撓性を有している。カバー４２の後端部で開口部４９の端縁には当接部５７が設けられている。
【００３６】
図５に示すように、カバー４２は、左右両側板部４５，４６の後端部を上板部４３の切込部５６及び下板部４４の貫通孔５４とともに互いに広げた状態で、刃体１７及びカバー支持部６の外側に後端部の開口部４９から前後方向Ｘへ移動可能に被せられる。カバー４２の左側板部４５において、カバー支持部６の上側摘み部２５が上側貫通孔５０に挿嵌されて外側へ突出するとともに、カバー支持部６の中間摘み部２６が中間貫通孔５１に挿嵌されて外側へ突出している。カバー４２の右側板部４６において、カバー支持部６の上側摘み部２７が上側貫通孔５０に挿嵌されて外側へ突出するとともに、カバー支持部６の中間摘み部２９が中間貫通孔５１に挿嵌されて外側へ突出し、カバー支持部６の下側摘み部２８が下側貫通孔５４に挿嵌されて外側へ突出している。上側摘み部２５の指当部２５ｂと上側摘み部２７の指当部２７ｂとは、カバー４２の上板部４３より若干上方へ左右方向Ｙで相対向して突出している。上側摘み部２５と上側貫通孔５０、上側摘み部２７と上側貫通孔５０、中間摘み部２６と中間貫通孔５１、中間摘み部２９と中間貫通孔５１及び下側摘み部２８と下側貫通孔５４とは、それぞれ、ハンドル１に対しカバー４２を前後方向Ｘへ案内する案内部として兼用されている。カバー操作部４３ａはカバー支持部６の左右両側の上側摘み部２５，２７の指当部２５ｂ，２７ｂ間で上方へ突出している。
【００３７】
図５及び図６に示すように、カバー４２の刃体不使用位置Ｐでは、カバー４２の左右両係止凸部５５が左右両側の上側摘み部２５，２７の前側係止凹部３０に係入されるとともに、カバー４２のクリック凸部５３が上側摘み部２７の前側クリック凹部３２に係入されて、カバー４２が刃体不使用位置Ｐで保持される。刃体１７はカバー４２の左右両側板部４５，４６間の収容室４７に収容され、左右両側板部４５，４６が刃体１７の左右両側面２０に面し、下板部４４が刃体１７の刃縁１８に面し、上板部４３が刃体１７の刃縁１８に対し対辺側になる背縁１９に面する。
【００３８】
図５及び図６に示す刃体不使用位置Ｐからカバー操作部４３ａを下方へ押した後に後方へ移動させると、上板部４３がその弾性力に抗して撓んで、左右両係止凸部５５が前側係止凹部３０から離脱されるとともに、クリック凸部５３が前側クリック凹部３２から離脱され、左右両係止凸部５５が上側摘み部２５，２７の指当部２５ｂ，２７ｂの内側を通って後方へ移動する。その後、図７及び図８に示すように、上板部４３がその弾性により復帰して、左右両係止凸部５５が後側係止凹部３１に係入されるとともに、クリック凸部５３が後側クリック凹部３３に係入され、カバー４２が刃体使用可能位置Ｑで保持される。カバー支持部６の前端部の刃体１７はカバー４２の前端部の開口部４８から前方へ突出して露出する。カバー４２の後端部の開口部４９はハンドル１の把持部７の前端部に面する。その際、左右両側板部１１，１２の後端部の押圧凸部３４がカバー４２の左右両側板部４５，４６の後端部内側に圧接される。
【００３９】
図７及び図８に示す刃体使用可能位置Ｑからカバー操作部４３ａを下方へ押した後に前方へ移動させると、上板部４３がその弾性力に抗して撓んで、左右両係止凸部５５が後側係止凹部３１から離脱されるとともに、クリック凸部５３が後側クリック凹部３３から離脱され、左右両係止凸部５５が上側摘み部２５，２７の指当部２５ｂ，２７ｂの内側を通って前方へ移動する。その後、図５及び図６に示すように、上板部４３がその弾性により復帰して、左右両係止凸部５５が前側係止凹部３０に係入されるとともに、クリック凸部５３が前側クリック凹部３２に係入され、カバー４２が刃体不使用位置Ｐで保持される。カバー支持部６の前端部の刃体１７はカバー４２の前端部の開口部４８から収容される。
【００４０】
カバー４２の刃体不使用位置Ｐでロック回避位置Ｅにあるロック操作部３６において、図９（ａ）に示すように指当部３８の後端部側を可撓柱３７の弾性力に抗して下方へ押すと、図９（ｂ）に示すように、可撓柱３７が撓んで、指当部３８がその後端部から前端部に向かうに従い上方へ傾斜する。そのため、カバー４２の当接部５７が指当部３８の当接部３９に当接可能になる。従って、カバー４２の刃体不使用位置Ｐから刃体使用可能位置Ｑへの移動が当接部５７と当接部３９との当接により阻止されるとともに、指当部３８の保持部４０が凹所３５の保持部４１に保持され、ロック操作部３６のロック位置Ｆからロック回避位置Ｅへの復帰が阻止されてロック位置Ｆを維持することができる。また、刃体不使用位置Ｐでロック操作部３６の操作は可能であるが、図９（ｃ）に示す刃体使用可能位置Ｑや、刃体不使用位置Ｐと刃体使用可能位置Ｑとの中間位置においては、カバー４２がロック操作部３６の全部または一部を覆うため、ロック操作部３６の指当部３８においてロック回避位置Ｅからロック位置Ｆへの不用意な移動操作をカバー４２により阻止することができる。
【００４１】
次に、医療用刃物の使用例について述べる。
医療用刃物をカバー４２の刃体不使用位置Ｐで保管することができる。カバー４２を刃体不使用位置Ｐから刃体使用可能位置Ｑに移動させると、刃体１７がカバー４２から突出するため、医療用刃物を使用することができる。カバー４２を刃体不使用位置Ｐと刃体使用可能位置Ｑとの間で移動させることができるため、医療用刃物を再利用することができるが、カバー４２をロック操作部３６により刃体不使用位置Ｐで保持すると、カバー４２の移動が永続的に阻止されて医療用刃物を再利用することができない。再利用できない状態で廃棄することが好ましい。また、ハンドル１に対し刃体１７が交換不能に取り付けられている場合には一回の使用で廃棄することが好ましい。このように医療用刃物を使用する場合には、カバー４２の各貫通孔５０，５１，５４から突出する各摘み部２５，２６，２７，２８，２９を把持することができる。なお、カバー４２の各貫通孔５０，５１，５４は蒸気滅菌に利用することもできる。
【００４２】
次に、第二実施形態にかかる医療用刃物について図１０〜１４を参照して説明する。
図１０に示すハンドル６１は、プラスチックにより一体成形され、前端部である頭部を有するカバー支持部６２と、そのカバー支持部６２に対し長手方向に沿う前後方向Ｘで連続する把持部６３とを備えている。カバー支持部６２は把持部６３の前端部から前方へ突設されている。把持部６３の後端部の下側には平坦なころがり防止部６３ａが形成されている。
【００４３】
ハンドル６１には前後方向Ｘに対し直交する左右方向Ｙの両側に側部６５，６６が設けられているとともに、カバー支持部６２の前端部から把持部６３の後端部へ向けて前後方向Ｘへ延設された溝部６４が左右両側部６５，６６間で設けられている。溝部６４は、前開口６７で前方に開放されているとともに、前後方向Ｘ及び左右方向Ｙに対し直交する上下方向Ｚの両側で上開口６８及び下開口６９に開放されている。溝部６４の下側で左右両側部６５，６６間には案内部７０が前開口６７から溝部６４の前後方向Ｘの中央部にわたり形成されている。案内部７０の上側と下側とにはカム面７１が形成されている。上下両カム面７１は、案内部７０の後端部から前端部にわたり前後方向Ｘへ一連に延設され、後端部から前端部に向かうに従い次第に高くなるように上方に湾曲してハンドル６１の長手方向Ｘに対し傾斜している。
【００４４】
カバー支持部６２の前端部に取り付けられる刃体７２は、案内部７０の前端部に挿着されて前方へ突出する支持部７２ａと、支持部７２ａの前端部で斜め前方に向けて上方へ屈曲された刃部７２ｂとを有している。把持部６３の前端部の少し後方で、右側部６６の上側には係止凹部７３が形成され、右側部６６の下側には案内凹部７４が前後方向Ｘへ延設されている。案内凹部７４の前端部には前方側で壁により閉塞されているとともに後方側で開放されたストッパ部７５ａが形成され、案内凹部７４の後端部には前後両端部で閉塞された凹状のストッパ部７５ｂが形成されている。溝部６４の後端部上に形成された凹所７６の上方に隣接して把持部６３上には前方へ突出する片持ち梁状のロック操作部７７が形成されている。ロック操作部７７は弾性部及び指当部としての可撓腕であって、可撓腕７７の前端部には当接部７８が形成されているとともに、段差状の保持部７９が形成されている。
【００４５】
図１１に示す可動体８０は、プラスチックにより一体成形され、前端部の刃体出入口部８２と後端部とで前後方向Ｘへ開放された筒状のカバー８１と、そのカバー８１の後端部から後方へ延設された操作腕８３とを備えている。操作腕８３は、カバー８１の後端部の上側から後方へ延設された上腕８４と、カバー８１の後端部の下側から後方へ延設された下腕８５とを有している。上腕８４の後端部と下腕８５の後端部とには連結部８６，８７が形成されている。上腕８４において、カバー８１の後端部と連結部８６との間で、上側には左右方向Ｙ及び上下方向Ｚに撓み得る両持ち梁状の可撓部８８が前後方向Ｘへ延設されているとともに、下側には案内腕部８９が前後方向Ｘへ延設され、可撓部８８と案内腕部８９との間には長孔９０が前後方向Ｘへ延設されている。操作腕８３の上腕８４の後端部には当接部９１が形成されているとともに、段差状の保持部９２が形成されている。可撓部８８上の前後方向Ｘの中央部にはカバー操作部８８ａが上方に突設され、カバー操作部８８ａの下方で可撓部８８の右側に係止凸部９３が形成されている。
【００４６】
下腕８５においては、カバー８１の後端部と連結部８７との間に載置腕部９６が前後方向Ｘへ延設され、載置腕部９６の右側に係止凸部９４が形成されている。案内腕部８９の下側と載置腕部９６の上側とにはカム面９５が形成されている。上下両カム面９５は、案内腕部８９及び載置腕部９６の後端部から前端部にわたり前後方向Ｘへ一連に延設され、ハンドル６１の案内部７０の上下両カム面７１に合わせて湾曲してハンドル６１の長手方向Ｘに対し傾斜している。上腕８４の連結部８６の下側に形成された連結凹部９７と、下腕８５の連結部８７の上側に形成された連結凸部９８とが互いに嵌着され、その嵌着前状態で上腕８４の案内腕部８９の下側と下腕８５の載置腕部９６の上側との間に形成された長孔９９ａがそれらの連結部８６，８７で閉塞されて案内孔９９が前後方向Ｘへ延設される。
【００４７】
図１１の可動体８０を図１０のハンドル６１に組み付ける際には、まず、案内部７０の前端部に刃体７２の支持部７２ａを挿着する。そして、図１２，１３に示すように、上下両連結部８６，８７を上下方向Ｚへ互いに開いて操作腕８３をカバー支持部６２及び把持部６３の溝部６４にカバー支持部６２側から挿入し、刃体７２及び案内部７０を上下両連結部８６，８７間から長孔９９ａに挿入する。その後、上下両連結部８６，８７を互いに連結すると、刃体７２がカバー８１に収容されるとともに、案内部７０が案内孔９９に嵌入される。また、案内部７０の前端部に刃体７２の支持部７２ａを挿着する前に、操作腕８３を溝部６４に挿入し、案内部７０を上下両連結部８６，８７間から長孔９９ａに挿入した後、上下両連結部８６，８７を互いに連結し、その後に案内部７０の前端部に刃体７２の支持部７２ａを挿着することもできる。その状態で、案内部７０の上下両カム面７１と案内孔９９の上下両カム面９５とは互いに摺接される。カバー８１は刃体７２及びカバー支持部６２の外側に被せられる。カバー操作部８８ａ及びロック操作部７７（可撓腕）は溝部６４から上方へ突出する。
【００４８】
図１２に示すように、カバー８１の刃体不使用位置Ｐでは、上腕８４の係止凸部９３が係止凹部７３に係入されるとともに、下腕８５の係止凸部９４が前側ストッパ部７５ａに係入され、載置腕部９６が案内部７０に対し段差部９６ａ，７０ａで停止されてカバー８１及び操作腕８３の前方への移動が阻止され、カバー８１が刃体不使用位置Ｐで保持される。刃体７２はカバー８１に収容される。
【００４９】
刃体不使用位置Ｐでカバー操作部８８ａを可撓部８８の弾性力に抗して下方へ押すと、上腕８４の係止凸部９３は係止凹部７３の斜面７３ａにより左右方向Ｙへ移動されるとともに溝部６４側に押されて係止凹部７３から離脱する。その後、カバー操作部８８ａを下方へ押したまま溝部６４に沿って後方へ移動させると、下腕８５の係止凸部９４が前側ストッパ部７５ａから離脱して案内凹部７４に沿って後方へ移動し、案内部７０の上下両カム面７１と案内孔９９の上下両カム面９５とが互いに摺接されながら、カバー８１及び操作腕８３も溝部６４に沿って後方へ移動する。そして、図１３に示すように、下腕８５の係止凸部９４が凹状の後側ストッパ部７５ｂに係入されてカバー８１が刃体使用可能位置Ｑで保持される。カバー８１は、刃体不使用位置Ｐから刃体使用可能位置Ｑに移動する際に、上下両カム面７１と上下両カム面９５とで案内されて刃体７２に対し回避されて当接しない。刃体使用可能位置Ｑで、カバー８１の後端部は把持部６３の前端部に対し隙間Ｇをあけて配置されるとともに、把持部６３の外周面を含む想定面上にカバー８１の外周面が配置され、カバー８１の刃体出入口部８２を外側に延長させた範囲Ｓの外側に刃体７２の刃部７２ｂの先端部が突出する。カバー８１が刃体使用可能位置Ｑで向く向き８１Ｑは前後方向Ｘに沿い、カバー８１が刃体不使用位置Ｐで向く向き８１Ｐは、この向き８１Ｑに対し刃部７２ｂの屈曲向き側へ角度θだけ傾斜している。
【００５０】
刃体使用可能位置Ｑからカバー操作部８８ａを溝部６４に沿って前方へ移動させると、係止凸部９４が凹状の後側ストッパ部７５ｂから離脱して案内凹部７４に沿って前方へ移動し、案内部７０の上下両カム面７１と案内孔９９の上下両カム面９５とが互いに摺接されながら、カバー８１及び操作腕８３も溝部６４に沿って前方へ移動する。そして、図１２に示すように、係止凸部９４が前側ストッパ部７５ａに係止されるとともに、係止凸部９３が可撓部８８の弾性力により係止凹部７３に係入されてカバー８１が刃体不使用位置Ｐで保持される。カバー８１は、刃体使用可能位置Ｑから刃体不使用位置Ｐに移動する際に、上下両カム面７１と上下両カム面９５とで案内されて刃体７２に対し回避されて当接しない。
【００５１】
図１４（ａ）に示すカバー８１の刃体不使用位置Ｐでロック回避位置Ｅにあるロック操作部７７（可撓腕）において、操作腕８３の連結部８６の後方で隣接する可撓腕７７をその弾性力に抗して下方へ押すと、可撓腕７７が下方へ撓む。そのため、図１４（ｂ）に示すように、操作腕８３の当接部９１が可撓腕７７の当接部７８に当接して、カバー８１及び操作腕８３が刃体不使用位置Ｐから刃体使用可能位置Ｑへ移動するのをこれらの当接部９１，７８により阻止することができる。また、可撓腕７７の保持部７９が操作腕８３の保持部９２に保持されて、可撓腕７７がロック位置Ｆからロック回避位置Ｅに戻るのをこれらの保持部７９，９２により阻止してロック位置Ｆを維持することができる。
【００５２】
図１４（ｃ）に示すように、刃体使用可能位置Ｑではロック操作部７７（可撓腕）においてロック回避位置Ｅからロック位置Ｆへの不用意な移動操作を操作腕８３により阻止することができる。なお、刃体不使用位置Ｐと刃体使用可能位置Ｑとの間の途中位置においても、ロック操作部７７（可撓腕）が下方へ撓む空間内に操作腕８３の連結部８６が入り込むと、ロック操作部７７のロック回避位置Ｅからロック位置Ｆへの不用意な移動操作を阻止することができる。
【００５３】
次に、第二実施形態にかかる医療用刃物の使用例について述べる。
医療用刃物をカバー８１の刃体不使用位置Ｐで保管することができる。カバー８１を刃体不使用位置Ｐから刃体使用可能位置Ｑに移動させると、刃体７２がカバー８１から突出するため、医療用刃物を使用することができる。カバー８１を刃体不使用位置Ｐと刃体使用可能位置Ｑとの間で移動させることができるため、医療用刃物を再利用することができるが、カバー８１をロック操作部７７により刃体不使用位置Ｐで保持すると、カバー８１の移動が永続的に阻止されて医療用刃物を再利用することができない。再利用できない状態で廃棄することが好ましい。また、ハンドル６１に対し刃体７２が交換不能に取り付けられている場合には一回の使用で廃棄することが好ましい。このように医療用刃物を使用する場合に、カバー８１は刃体不使用位置Ｐと刃体使用可能位置Ｑとの間で移動する際にカム面７１，９５で案内されて刃体７２に対し回避されて当接しない。
【００５４】
本実施形態は下記の効果を有する。
（１）  第一実施形態及び第二実施形態においては、ロック操作部３６，７７をロック位置Ｆにした際に刃体不使用位置Ｐにあるカバー４２（可動体）または可動体８０が刃体使用可能位置Ｑになるのを阻止する当接部３９，５７，７８，９１を設けるとともに、ロック位置Ｆにあるロック操作部３６，７７がロック回避位置Ｅになるのを阻止する保持部４０，４１，７９，９２を設けている。そのロック操作部３６，７７をハンドル１，６１に設けたので、ハンドル１，６１に対しカバー４２（可動体）または可動体８０を移動させても、ハンドル１，６１におけるロック操作部３６，７７の位置は変わらない。従って、ハンドル１，６１を持った手指でカバー４２（可動体）または可動体８０を移動させる際に、ロック操作部３６，７７を不用意に操作するおそれが少なくなる。
【００５５】
（２）  第一実施形態及び第二実施形態においては、ハンドル１，６１に対しカバー４２（可動体）または可動体８０を移動させても、ハンドル１，６１におけるロック操作部３６，７７の位置が変わらないので、ハンドル１，６１を持った際に指当部３８，７７に手指を当てがってロック操作部３６，７７を操作し易い。
【００５６】
（３）  第一実施形態及び第二実施形態においては、当接部３９，５７，７８，９１はロック操作部３６，７７の前端部とカバー４２（可動体）または可動体８０の後端部とに設けられているので、ロック操作部３６，７７の当接部３９，７８及びカバー４２（可動体）または可動体８０の当接部５７，９１を簡単に設けることができる。
【００５７】
（４）  第一実施形態において、保持部４０，４１はロック操作部３６の後端部とハンドル１の凹所３５とに設けられているので、ロック操作部３６の保持部４０及びハンドル１の保持部４１を簡単に設けることができる。
【００５８】
（５）  第二実施形態において、保持部７９，８２はロック操作部７７の前端部と可動体８０の後端部とに設けられているので、ロック操作部７７の保持部７９及び可動体８０の保持部９２を簡単に設けることができる。
【００５９】
前記実施形態以外にも例えば下記のように構成してもよい。
・  第一実施形態及び第二実施形態においては、刃体不使用位置Ｐで刃体１７，７２を収容するカバー４２，８１が刃体使用可能位置Ｑでカバー支持部６，６２の外側に被せられる。そのほか、刃体使用可能位置でカバーがカバー支持部の内側に収容されるようにしてもよい。
【００６０】
・  第一実施形態及び第二実施形態において、ロック操作部３６，７７はハンドル１，６１の上下方向Ｚの両側のうち上側の凹所３５，７６で指当部３８，７７を有している。そのほか、下側の凹所や、左右方向Ｙの両側のうち一方の側の凹所にロック操作部の指当部を設けてもよい。その場合、ロック操作部の指当部を設ける凹所を省略することもできる。
【００６１】
・  第一実施形態及び第二実施形態において、ロック操作部３６，７７はロック回避位置Ｅから弾性力に抗してロック位置Ｆに弾性変形する。そのほか、その弾性力を省略して、ロック回避位置からロック位置に塑性変形するようにしてもよい。
【００６２】
・  第一実施形態においては、当接部３９，５７がロック操作部３６の指当部３８の前端部とカバー４２の後端部とに設けられているとともに、保持部４０，４１がロック操作部３６の指当部３８の後端部とハンドル１の凹所３５とに設けられている。また、第二実施形態においては、当接部７８，９１及び保持部７９，９２がロック操作部７７の指当部７７の前端部と操作腕８３の後端部とに設けられている。そのほか、ロック操作部やハンドルや操作腕の任意位置に当接部及び保持部を設けて同様な機能を持たせることができる。
【符号の説明】
【００６３】
１…ハンドル、１７…刃体、３５…凹所、３６…ロック操作部、３７…可撓柱（弾性部）、３８…指当部、３９，５７…当接部、４０，４１…保持部、４２…カバーである可動体、４３ａ…カバー操作部、６１…ハンドル、７２…刃体、７６…凹所、７７…ロック操作部（可撓腕、弾性部、指当部）、７８，９１…当接部、７９，９２…保持部、８０…可動体、８１…可動体のカバー、８８ａ…カバー操作部、Ｅ…ロック回避位置、Ｆ…ロック位置、Ｐ…刃体不使用位置、Ｑ…刃体使用可能位置、Ｘ…長手方向に沿う前後方向、Ｚ…上下方向。
【図１】
2018143322.tif 000003
【図２】
2018143322.tif 000004
【図３】
2018143322.tif 000005
【図４】
2018143322.tif 000006
【図５】
2018143322.tif 000007
【図６】
2018143322.tif 000008
【図７】
2018143322.tif 000009
【図８】
2018143322.tif 000010
【図９】
2018143322.tif 000011
【図１０】
2018143322.tif 000012
【図１１】
2018143322.tif 000013
【図１２】
2018143322.tif 000014
【図１３】
2018143322.tif 000015
【図１４】
2018143322.tif 000016